(57)【特許請求の範囲】
【請求項１】
一対の縦枠間に互いに上下方向に並置された多数のスラットからなるブラインドと、スラットのそれぞれの端部を支持しており、縦枠に配された伸縮自在なリンク機構と、下端が縦枠に連結されたリンク機構の上端を持上げて、ブラインドを開口部閉鎖位置に配するリンク持上げ機構と、リンク機構を介してスラットのそれぞれを傾動させるべく、リンク機構に連結されたチルト機構と、緊急時に、リンク持上げ機構によるリンク機構の上端の持上げを解除してスラットをその自重により下降させ、ブラインドを開口部開放位置に配する緊急開放機構とを具備しており、リンク持上げ機構は、一端がリンク機構の上端にチルト機構を介して連結される可撓性の長尺体と、この長尺体の他端が連結されていると共に、回転により長尺体を巻き取り、繰り出す回転体と、回転体を回転させる回転駆動装置とを具備しており、回転駆動装置は、回転体に連結されたウオームホイールと、このウオームホイールに噛み合うウオーム軸とを具備しており、緊急開放機構は、その非作動時には、ウオームホイールとウオーム軸との噛み合いを保持し、その作動時には、回転体の回転でウオームホイールとウオーム軸との噛み合いを解除できるように、ウオーム軸の軸方向移動を可能にするようになっているブラインド装置。
【請求項２】
緊急開放機構は、回動自在なレバー部材を有しており、レバー部材は、ウオーム軸に一体的に形成された鍔部に係合自在な二股部を具備しており、二股部は、レバー部材の第一の回動位置では、鍔部に係合してウオーム軸の移動を禁止して、ウオームホイールとウオーム軸との噛み合いを保持し、レバー部材の第二の回動位置では、鍔部への係合が解除されて、ウオーム軸の直動を可能にして、ウオームホイールとウオーム軸との噛み合いを解除できるようになっている請求項１に記載のブラインド装置。
【請求項３】
回転駆動装置は、ウオーム軸を手動で回転できるハンドル機構を具備しており、ハンドル機構は、ウオーム軸の一端に自在継手を介して連結された回転ロッドと、回転ロッドに取り付けられたハンドル部材とを具備している請求項１又は２に記載のブラインド装置。
【請求項４】
リンク機構の下端は、弾性機構を介して縦枠に連結されている請求項１から３のいずれか一項に記載のブラインド装置。
【発明の詳細な説明】
【０００１】
【発明の属する技術分野】
本発明は、建物の窓等に配置し、必要に応じてこれら窓等の目隠しをするブラインド装置に関する。
【０００２】
【発明が解決しようとする課題】
この種のブラインド装置は、通常、上下方向に並置された多数のスラットからなるブラインドを上方に配置し、昇降装置の作動により当該ブラインドを上方から下降させて建物の窓等の開口部を目隠し、昇降装置の逆作動によりブラインドを上昇させて開口部を開口するように、構成されている。
【０００３】
斯かるブラインド装置では、上記のように、開口部の開口の際には、ブラインドを構成する多数のスラットが開口部の上方に、通常、互いに密に重合されて配置されるため、全開時でも、重合されたスラットにより開口部が一部閉鎖されたようになり、開口部の全開時に十分な解放感を味うことができず、目障りとなる。これをなくすためにスラット収容枠を上方に設けても、スラット収容枠分の占有空間を上方に必要とし、一般の家屋等においてはこれが困難な場合があり、必ずしも満足し得るものではない。また、開口部の下方のみの目隠しを行いたい場合等においては、従来のブラインド装置ではそれができないという問題もあり、更に、スラットの清掃は梯子や台等を使用しなければならず、また、閉鎖動作におけるブラインドの下降で物又は人が挟まれる危険性もある。
【０００４】
そこで、特開平８−２１００４９号公報に記載のようなブラインド装置が提案されており、この提案のブラインド装置によれば上記の種々の問題点を好ましく解決でき、その点では満足できるのであるが、公報に記載の限りのブラインド装置では、緊急時等において、ブラインドを一挙動で開放状態にもたらすことが困難であって、開口部の閉鎖状態において室外に緊急に脱出しようとする場合には、スラット等を破壊する必要がある。
【０００５】
本発明は、前記諸点に鑑みてなされたものであって、その目的とするところは、特開平８−２１００４９号公報に記載のようなブラインド装置の利点を生かして、しかも、緊急時に、一挙動でブラインドに開放状態をもたらすことが可能なブラインド装置を提供することにある。
【０００６】
【課題を解決するための手段】
本発明の第一の態様のブラインド装置は、一対の縦枠間に互いに上下方向に並置された多数のスラットからなるブラインドと、スラットのそれぞれの端部を支持しており、縦枠に配された伸縮自在なリンク機構と、下端が縦枠に連結されたリンク機構の上端を持上げて、ブラインドを開口部閉鎖位置に配するリンク持上げ機構と、リンク機構を介してスラットのそれぞれを傾動させるべく、リンク機構に連結されたチルト機構と、緊急時に、リンク持上げ機構によるリンク機構の上端の持上げを解除してスラットをその自重により下降させ、ブラインドを開口部開放位置に配する緊急開放機構とを具備している。
【０００７】
第一の態様のブラインド装置によれば、緊急開放機構を具備しているために、緊急時にブラインドを開放状態にもたらすことが可能となり、しかも、緊急開放機構がリンク持上げ機構によるリンク機構の上端の持上げを解除してスラットをその自重により下降させるようになっているために、特に、動力を必要としなく、停電時等の異常事態にも問題なく緊急開放をなすことができる。
【０００８】
本発明の第二の態様のブラインド装置では、第一の態様のブラインド装置において、リンク持上げ機構は、一端がリンク機構の上端にチルト機構を介して連結される可撓性の長尺体と、この長尺体の他端が連結されていると共に、回転により長尺体を巻き取り、繰り出す回転体と、回転体を回転させる回転駆動装置とを具備しており、回転駆動装置は、回転体に連結されたウオームホイールと、このウオームホイールに噛み合うウオーム軸とを具備しており、緊急開放機構は、その非作動時には、ウオームホイールとウオーム軸との噛み合いを保持し、その作動時には、回転体の回転でウオームホイールとウオーム軸との噛み合いを解除できるように、ウオーム軸の軸方向移動を可能にするようになっている。
【０００９】
第二の態様のブラインド装置によれば、緊急開放機構が、ウオーム軸の軸方向移動を可能にして、ウオームホイールとウオーム軸との噛み合い状態の変化を介して、ブラインドによる開口部の緊急開放を行うようになっているために、緊急開放後の復帰が容易となる。
【００１０】
本発明の第三の態様のブラインド装置では、第二の態様のブラインド装置において、緊急開放機構は、回動自在なレバー部材を有しており、レバー部材は、ウオーム軸に一体的に形成された鍔部に係合自在な二股部を具備しており、二股部は、レバー部材の第一の回動位置では、鍔部に係合してウオーム軸の移動を禁止して、ウオームホイールとウオーム軸との噛み合いを保持し、レバー部材の第二の回動位置では、鍔部への係合が解除されて、ウオーム軸の直動を可能にして、ウオームホイールとウオーム軸との噛み合いを解除できるようになっている。
【００１１】
第三の態様のブラインド装置によれば、緊急開放機構が回動自在なレバー部材を有しているために、レバー部材を操作することにより、一挙動でブラインドを開放状態にもたらすことが可能となり、迅速な緊急開放を達成できる。
【００１２】
本発明の第四の態様のブラインド装置では、第二又は第三の態様のブラインド装置おいて、回転駆動装置は、ウオーム軸を手動で回転できるハンドル機構を具備しており、ハンドル機構は、ウオーム軸の一端に自在継手を介して連結された回転ロッドと、回転ロッドに取り付けられたハンドル部材とを具備している。
【００１３】
本発明では、第四の態様のブラインド装置のように、手動でウオーム軸を回転させて、ブラインドを開口部閉鎖位置に配するようにしてもよいのであるが、これに代えて、電動モータ等を設け、この電動モータ等の作動により自動でウオーム軸を回転させ、ブラインドを開口部閉鎖位置に配するようにしてもよい。
【００１４】
本発明の第五の態様のブラインド装置では、第一から第四のいずれかの態様のブラインド装置おいて、リンク機構の下端は、弾性機構を介して縦枠に連結されている。
【００１５】
第五の態様のブラインド装置によれば、リンク機構の下端が弾性機構により下方に引っ張られるために、スラットにその自重に加えて下降力を付与できるために、完全閉鎖時における緊急開放機構による緊急開放を確実に且つ迅速に生じさせることができる。
【００１６】
本発明において、可撓性の長尺体としては、ベルト、ワイヤロープ、チェーン、ひも等を好ましい例として示すことができ、回転体としては、可撓性の長尺体としてベルト、ワイヤロープ又はひもが用いられる場合には、これらが巻き付けられて係合するプーリが好ましく用いられ、長尺体としてチェーンが用いられる場合には、チェーンに噛み合って係合するスプロケットホイールが好ましく用いられる。
【００１７】
次に本発明を、図に示す好ましい実施の形態の好ましい例を参照して更に詳細に説明する。なお、本発明はこれら例に何等限定されないのである。
【００１８】
【実施の形態】
図１から図１１において、本例のブラインド装置１は、一対の縦枠２及び３間に互いに上下方向に並置された多数のスラット４からなるブラインド５と、スラット４のそれぞれの端部６を支持しており、縦枠２及び３に配された伸縮自在なリンク機構７及び８と、下端が弾性機構９及び１０を介して縦枠２及び３に連結されたリンク機構７及び８の上端を持上げて、ブラインド５を開口部閉鎖位置に配するリンク持上げ機構１１と、ブラインド５の所与の開口部途中閉鎖位置で、リンク機構７及び８を介してスラット４のそれぞれを傾動させるべく、リンク機構７及び８に連結されたチルト機構１２及び１３と、緊急時に、リンク持上げ機構１１によるリンク機構７及び８の上端の持上げを解除してスラット４をその自重により下降させ、ブラインド５を開口部開放位置に配する緊急開放機構１４とを具備している。
【００１９】
縦枠２と縦枠３と、リンク機構７とリンク機構８と、弾性機構９と弾性機構１０と、そしてチルト機構１２と１３とは、それぞれ互いに同様に構成されているため、以下主に縦枠２側について説明し、必要に応じて縦枠３側について説明する。
【００２０】
縦枠２及び３は、上枠１５により橋絡されて、ブラインド５により開放、閉鎖される開口部１６を形成している。縦枠２は、上下方向に伸びるスリット１７を有し、リンク機構７を内部に収容した縦枠本体１８と、内部にローラ案内路１９を形成して縦枠本体１８に一体的に形成された一対の案内壁２０と、チルト機構１２のためのものであって、縦枠本体１８に一体的に形成されたカム壁２１とを具備している。
【００２１】
スラット４のそれぞれは、開口部１６を閉鎖した際に外部に露出される大樋状部２２と、開口部１６を閉鎖した際に大樋状部２２の下端側に重合される小樋状部２３とを一体的に有しており、大樋状部２２の一端にシール２４が嵌装されてなる。
【００２２】
リンク機構７は、多数のリンク部材２５が軸ピン２６を介して互いに回動自在に直列に連結された第一のリンク列２７と、リンク列２７と同様に、多数のリンク部材２８が軸ピン２９を介して互いに回動自在に直列に連結されて、リンク列２７に並設された第二のリンク列３０と、一端が一個おきの軸ピン２６を介してリンク列２７に、他端が一個おきの軸ピン２９を介してリンク列３０にそれぞれ回動自在に連結された多数の横リンク部材３１からなる第三のリンク列３２とを具備しており、スラット４のそれぞれの端部６は、リンク列３２のリンク部材３１に、スリット１７を通る取付具３３により固定して連結されている。なお、リンク列２７及び３０の折り畳み方向を規定すべく、リンク部材２５及び２８には阻止片３４が一体的に設けられている。
【００２３】
本例では、リンク列３０の下端である最下方のリンク部材２８の下端４１が自由端とされており、リンク列２７の下端である最下方のリンク部材２５の下端４４２が、弾性機構４３を介して縦枠２に連結されている。
【００２４】
弾性機構４３は、縦枠２の下端に固定されたブラケット５１と、ブラケット５１に取り付けられた案内ロッド５２と、案内ロッド５２に上下方向に移動自在に装着された可動体５３と、可動体５３を下方に弾性的に付勢するように、ブラケット５１の上端と可動体５３の上面との間に案内ロッド５２を取り囲んで配されたコイルばね５４とを具備しており、リンク部材２５の下端４２が軸ピン５５を介して可動体５３に回動自在に連結され、こうしてリンク部材２５の下端４２が弾性機構４３を介して縦枠２に連結されている。
【００２５】
リンク持上げ機構１１は、縦枠２及び３の上端に固定されて、上枠１５に覆われたブラケット６１及び６２に軸５８及び５９を介してそれぞれ回転自在に支持された転向プーリ５６及び５７と、同じくブラケット６１及び６２に配された回転体としてのプーリ６３及び６４と、プーリ６３及び６４に巻き付けられて係合され、転向プーリ５６及び５７に掛け回されて、繰り出し端６５及び６６が駒６７及び６８に取り付けられた可撓性の長尺体としての金属性のベルト６９及び７０と、駒６７及び６８並びにローラ案内路１９（縦枠３側は図示せず）に配されたローラ７１〜７４が回転自在に装着された移動台７５及び７６と、プーリ６３及び６４を回転させる回転駆動装置７７とを具備している。
【００２６】
回転駆動装置７７は、ブラケット６１及び６２に端部がそれぞれ回転自在に支持されて、縦枠２及び３の上端間に配されており、プーリ６３及び６４が固着されてなる回転軸８１と、ハウジング８０内において回転軸８１に固着されて、回転軸８１を介してプーリ６３及び６４に連結されたウオームホイール７８と、ウオームホイール７８に噛み合うウオーム７９を有しており、滑り軸受１５１及び１５２を介してハウジング８０に回転自在に且つ上下動自在に支持されたウオーム軸８３と、ウオーム軸８３を手動で回転できるハンドル機構８４とを具備している。
【００２７】
回転軸８１が回転自在に貫通するハウジング８０は、ブラケット６１に取り付けられており、その中間には、ウオーム軸８３の下降においてウオーム軸８３のウオーム７９の下端に当接して、当該ウオーム軸８３の一定以上の下降を阻止する中間壁部８５を具備しており、ウオーム軸８３は、ハウジング８０の上壁８６、中間壁部８５及び下壁８７を貫通して、上下方向、すなわち鉛直方向に伸びており、ウオーム軸８３の軸部１１１には、ハウジング８０内の空間８９に位置すして一体的に鍔部１１２が形成されている。
【００２８】
ハンドル機構８４は、ウオーム軸８３の軸部１１１の下端に自在継手１２１を介して連結された回転ロッド１２２と、回転ロッド１２２に取り付けられたハンドル部材１２３とを具備している。回転ロッド１２２は、ハンドル部材１２３を室内側から手動操作可能となるように下方まで伸びている。
【００２９】
回転駆動装置７７は、緊急開放機構１４の非作動時に、ハンドル部材１２３を介して手動により回転ロッド１２２がその軸心回りで回転されることにより、自在継手１２１を介してウオーム軸８３を回転させ、ウオーム軸８３の回転で、ウオーム７９に噛み合うウオームホイール７８を回転させて、而して、回転軸８１を介してプーリ６３及び６４を回転させるようになっている。
【００３０】
チルト機構１２は、移動台７３に軸９０を介して回動自在に取り付けられたチルトアーム９１と、チルトアーム９１の回動状態を設定するカム機構９２とを具備しており、チルトアーム９１の両端に軸ピン９３及び９４を介して上端のリンク部材２５及び２８のそれぞれの一端が回動自在に連結されており、こうしてベルト６９の繰り出し端６５は、移動台７５及びチルト機構１２のチルトアーム９１を介してリンク部材２５に連結されている（ベルト７０の繰り出し端６６も同様）。カム機構９２は、チルトアーム９１に回転自在に取り付けられたカムローラ９５と、カムローラ９５が当接する垂直カム面９６を形成する上述のカム壁２１と、垂直カム面９６に連続して水平カム面９７を形成するように、カム壁２１の上端に取り付けられたカムブロック９８と、カムブロック９８の上方において縦枠本体１８内面に固着されて、スラット４の垂直方向の傾動状態を保持するカムブロック９９とを具備している。
【００３１】
緊急開放機構１４は、回動自在なレバー部材１３１を有しており、レバー部材１３１は、ウオーム軸８３の軸部１１１に一体的に形成された鍔部１１２に係合自在な二股部１３３と、二股部１３３に一体形成されたレバー部１３４とを具備しており、二股部１３３の下部でピン軸１３５を介してハウジング８０にＲ方向に回動自在に支持されている。
【００３２】
二股部１３３は、レバー部材１３１のＲ方向の第一の回動位置（図８に示す回動位置）では、鍔部１１２に係合してウオーム軸８３の下降移動（Ｈ方向）を禁止して、ウオームホイール７８とウオーム軸８３のウオーム７９との噛み合いを保持し、レバー部材１３１のＲ方向の第二の回動位置（図１０に示す回動位置）では、鍔部１１２への係合が解除されて、ウオーム軸８３の下方（Ｈ方向）直動を可能にする。ウオーム軸８３の下方直動が可能になると、ベルト６９及び７０を介するスラット４の自重によるプーリ６３及び６４に付加される回転モーメントにより、プーリ６３及び６４がＡ方向に回転される結果、ウオームホイール７８とウオーム軸８３のウオーム７９との噛み合いが解除される。
【００３３】
緊急開放機構１４は、その非作動時（図８に示す状態の時）には、ウオームホイール７８とウオーム軸８３のウオーム７９との噛み合いを保持して、而して、プーリ６３及び６４の意図しないＡ方向の回転を禁止し、回転レバー部１３４の手動操作によるレバー部材１３１のＲ方向の回動によるその作動時（図１０に示す状態の時）には、プーリ６３及び６４のＡ方向の回転でウオームホイール７８とウオーム軸８３のウオーム７９との噛み合いを解除できるように、ウオーム軸８３の軸方向移動を可能にし、而して、プーリ６３及び６４のＡ方向の自由回転で、スラット４の自重によるベルト６９及び７０の繰り出しを可能にするようになっている。
【００３４】
以上のブラインド装置１は、図７に示すように、緊急開放機構１４が室内１６０に臨むようにして、建物の窓１６１に配される。ブラインド装置１では、開口部１６の開放に際しては、リンク列２７及び３０は折り畳まれており、スラット４のそれぞれは開口部１６の下方に互いに密に重合されて（束ねられて）いる。開口部１６の閉鎖に際しては、まず、ハンドル１２３の手動操作による回転ロッド１２２の回転により、自在継手１２１、ウオーム軸８３、ウオームホイール７８及び回転軸８１を介してプーリ６３及び６４がＡ方向と逆に回転され、これによりベルト６９及び７０がプーリ６３及び６４に巻き込まれて、移動台７５及び７６がローラ７１〜７４を介してローラ案内路１９に案内されて上昇される。移動台７５及び７６の上昇により、図５（ａ）に示すように、リンク列２７及び３０もその上端側から伸長され、而してリンク列３２の横リンク部材３１も上方側から上方に持ち上げられる結果、横リンク部材３１に固定されたスラット４のそれぞれは、順次、開口部１６の閉鎖方向に持ち上げられる。図５（ａ）及び図５（ｂ）に示すように、カムローラ９５が垂直カム面９６に当接している際には、スラット４がほぼ水平方向の傾動状態に保持されるように、チルトアーム９１、リンク列２７、３０及び３２が形成されている。
【００３５】
図６（ａ）に示すように、更に、ベルト６９及び７０のプーリ６３及び６４への巻き込によりリンク列２７及び３０が伸長されて、ブラインド５の開口部途中閉鎖位置、本例では開口部１６の完全閉鎖直前位置で、カムローラ９５が垂直カム面９６への当接から水平カム面９７への当接に移行すると、リンク列２７に対してリンク列３０がより持ち上げられるようになり、これによりスラット４が反時計方向に回動され、順次垂直方向の傾動状態に設定される。更に、チルトアーム９１の上昇で、図６（ｂ）に示すように、リンク列２７及び３０のほぼ全長が伸長されて、カムローラ９５がカムブロック９９に乗り上げると、スラット４がほぼ垂直方向の傾動状態に保持されて、開口部１６が完全目隠しされた状態でブラインド５により全閉される。その後、ハンドル１２３の手動操作による回転ロッド１２２の回転が停止されて、ブラインド５による開口部１６の閉鎖動作が完了する。ハンドル１２３の手動操作による回転ロッド１２２の回転停止が若干遅れて、伸びきったリンク列２７において、リンク部材２５の下端４２が上方に引っ張られても、コイルばね５４により弾性的に下方に付勢された可動体５３が上方に移動するため、回転ロッド１２２の回転停止の遅れがあっても、リンク部材２５の下端４２が損傷することがない。逆に、開口部１６のブラインド５による全閉を確実に達成し得る。
【００３６】
ブラインド５による開口部１６の開放においては、ハンドル１２３の手動操作により回転ロッド１２２が前記と逆回転されて、図６（ｂ）、（ａ）、図５（ｂ）及び（ａ）に示すように、この順番でリンク列２７及び３０等が作動される。
【００３７】
ブラインド５による開口部１６の一部閉鎖状態又は完全閉鎖状態で、開口部１６を緊急に開放する場合には、レバー部１３４をＲ方向に回動させて、鍔部１１２と二股部１３３との係合を解除する。この係合解除でウオーム軸８３の軸方向移動が可能となり、スラット４の自重によるプーリ６３及び６４のＡ方向の回転が生起されて、ウオームホイール７８とウオーム軸８３のウオーム７９との噛み合いが解除され、こうしてウオームホイール７８の自由回転、すなわち回転軸８１を介するプーリ６３及び６４の自由回転が可能となり、プーリ６３及び６４のＡ方向の自由回転で、スラット４の自重によるベルト６９及び７０の繰り出しが行われて、各スラット４は下降されて、ブラインド５による開口部１６の一部閉鎖状態又は完全閉鎖状態は解除されて、開口部１６は、完全開放されるようになる。
【００３８】
以上のようにブラインド装置１では、緊急開放機構１４を具備しているために、緊急時にブラインド５を開放状態にもたらすことが可能となり、しかも、緊急開放機構１４がリンク持上げ機構１１によるリンク機構７及び８の上端の持上げを解除してスラット４をその自重により下降させるようになっているために、特に、動力を必要としなく、停電時等の異常事態にも問題なく緊急開放をなすことができる。
【００３９】
またブラインド装置１では、緊急開放機構１４が、ウオーム軸８３の軸方向（Ｈ方向）移動を可能にして、ウオームホイール７８とウオーム軸８３との噛み合い状態の変化を介して、ブラインド５による開口部１６の緊急開放を行うようになっているために、緊急開放後の復帰が容易となる。
【００４０】
加えてブラインド装置１によれば、緊急開放機構１４が回動自在なレバー部材１３１を有しているために、レバー部材１３１を操作することにより、一挙動でブラインド５に開放状態をもたらすことが可能となり、迅速な緊急開放を達成できる。
【００４１】
更にブラインド装置１によれば、リンク機構７及び８の下端が弾性機構９及び１０により下方に引っ張られるために、スラット４にその自重に加えて弾性下降力を付与できるために、緊急開放機構１４による緊急開放を確実に且つ迅速に生じさせることができる。
【００４２】
更にブラインド装置１では、開口部１６の全開時では、スラット４のそれぞれは開口部１６の下方に互いに密に重合されて（束ねられて）、上枠１５の下面には、重合されたスラット４が存在しないため、本来的な解放感を味わうことができる。そして、開口部１６の上方のみを開放することもでき、一部開放時の解放感も良好となる。
【００４３】
加えて、ブラインド５の閉鎖作動では、リンク列２７及び３０の上端を持ち上げれば足り、リンク列２７及び３０の伸縮機構を簡単に構成し得、故障等の少ない持ち上げ機構及び傾動機構とすることができる。
【００４４】
なお、上記のブラインド装置１では、開口部１６の緊急開放において、プーリ６３及び６４のＡ方向の回転を主にスラット４の自重により生起させたが、中間壁部８５と鍔部１１２との間にコイルばね等の弾性手段を配して、ウオーム軸８３を常にＨ方向に弾性的に付勢するようにし、開口部１６の緊急開放において、スラット４の自重に加えて、この弾性手段の弾性力によりプーリ６３及び６４のＡ方向の回転を生起させるようにしてもよい。
【００４５】
【発明の効果】
本発明によれば、特開平８−２１００４９号公報に記載のようなブラインド装置の利点を生かして、しかも、緊急時に、一挙動でブラインドに開放状態をもたらすことが可能なブラインド装置を提供することができる。
【図面の簡単な説明】
【図１】本発明の好ましい実施の形態の一例の全体斜視図である。
【図２】図１に示す例の正面詳細説明図である。
【図３】図１に示す例の側面詳細説明図である。
【図４】図１に示す例の縦枠内の詳細説明図である。
【図５】図１に示す例の動作説明図である。
【図６】図１に示す例の動作説明図である。
【図７】図１に示す例を建物の窓に適用した場合の平面概略説明図である。
【図８】図１に示す例の一部拡大側面図である。
【図９】図１に示す例の一部拡大裏面図である。
【図１０】図１に示す例の動作説明図である。
【図１１】図１に示す例の一部拡大斜視図である。
【符号の説明】
１  ブラインド装置
２、３  縦枠
４  スラット
５  ブラインド
７、８  リンク機構
１１  リンク持上げ機構
１２、１３  チルト機構
１４  緊急開放機構
【図１】
0004258070.tif 000002
【図２】
0004258070.tif 000003
【図３】
0004258070.tif 000004
【図４】
0004258070.tif 000005
【図５】
0004258070.tif 000006
【図６】
0004258070.tif 000007
【図７】
0004258070.tif 000008
【図８】
0004258070.tif 000009
【図９】
0004258070.tif 000010
【図１０】
0004258070.tif 000011
【図１１】
0004258070.tif 000012